(57)【要約】【課題】部品点数の増加を抑制しながらレンズと受光素子との間の距離を調整することが可能なレンズ保持機構を提供する。【解決手段】このレンズ保持機構３は、レンズ７を保持する一方端部側と受光素子８を保持する他方端部側とが互いに対向するように撓み変形可能に構成された１つの保持部材５と、保持部材５の一方端部をスライド可能に支持する傾斜部６ｂを含むフレーム部材６とを備える。そして、保持部材５の先端部５ｇは、フレーム部材６の傾斜部６ｂに付勢した状態で当接されるように構成され、温度変化によるレンズ７の体積の変化に伴いレンズ７の焦点距離が変化した際に、先端部５ｇが傾斜部６ｂに沿ってスライド移動することにより、レンズ７と受光素子８との距離がレンズ７の体積変化後の焦点距離に対応するようにに調整されるように構成されている。【選択図】図４
2010181580.tif 000002
【特許請求の範囲】
【請求項１】
一方端部側と他方端部側とが互いに対向するように撓み変形可能に構成され、前記一方端部側と前記他方端部側との一方および他方において、それぞれ、互いに対向するようにレンズと前記レンズを介して入射する光を受光する受光素子とを保持する１つの保持部材と、
前記保持部材の一方端部が撓み変形された付勢状態でスライド移動可能に当接される傾斜部を含むフレーム部材とを備え、
互いに対向する前記レンズと前記受光素子との距離は、前記レンズの焦点距離に対応する大きさになるように構成され、
温度変化による前記レンズの体積の変化に伴い前記レンズの焦点距離が変化した際に、前記保持部材の一方端部が、前記保持部材および前記フレーム部材の温度変化による体積の変化に伴い前記傾斜部に沿ってスライド移動することにより、前記レンズと前記受光素子との距離が前記レンズの体積の変化後の焦点距離に対応するように調整されるように構成されている、レンズ保持機構。
【請求項２】
前記保持部材の一方端部の先端部は、前記フレーム部材の傾斜部に対して点接触可能な形状に形成され、
前記先端部は、前記傾斜部に対して点接触を維持した状態でスライド移動可能なように構成されている、請求項１に記載のレンズ保持機構。
【請求項３】
前記保持部材の先端部は、平面的に見て、円形形状を有する、請求項２に記載のレンズ保持機構。
【請求項４】
前記フレーム部材の傾斜部は、前記レンズおよび前記受光素子を通る光軸に沿った第１方向に対して傾斜するように構成され、
前記保持部材の一方端部は、前記第１方向と直交する第２方向に延びるように構成され、
前記傾斜部の前記第１方向に対する傾斜角は、温度変化による体積変化に伴う前記フレーム部材の長さの変化量および前記レンズの焦点距離の変化量の前記第１方向の成分と、温度変化による体積変化に伴う前記保持部材および前記フレーム部材の長さの変化量の前記第２方向の成分とに基づいて設定されている、請求項１〜３のいずれか１項に記載のレンズ保持機構。
【請求項５】
前記傾斜部の前記第１方向に対する傾斜角は、温度変化による体積変化に伴う前記フレーム部材の長さの変化量および前記レンズの焦点距離の変化量の前記第１方向の成分における差分と、前記保持部材および前記フレーム部材の長さの変化量の前記第２方向の成分における差分との逆正接関数により算出されて設定されている、請求項４に記載のレンズ保持機構。
【請求項６】
前記フレーム部材は、前記保持部材よりも温度変化による体積の膨張量が大きくなるように構成され、
前記傾斜部の前記第１方向に対する所定の回転方向の傾斜角は鋭角になるように構成され、
前記傾斜部に沿ってスライド移動する前記保持部材の一方端部は、温度上昇に伴って、光軸に近づくように前記第２方向に移動するとともに前記レンズと前記受光素子との距離が大きくなるように前記第１方向に移動するように構成されている、請求項４または５に記載のレンズ保持機構。
【請求項７】
前記保持部材は、前記フレーム部材よりも温度変化による体積の膨張量が大きくなるように構成され、
前記傾斜部の前記第１方向に対する所定の回転方向の傾斜角は鈍角になるように構成され、
前記傾斜部に沿ってスライド移動する前記保持部材の一方端部は、温度上昇に伴って、光軸から遠ざかるように前記第２方向に移動するとともに前記レンズと前記受光素子との距離が大きくなるように前記第１方向に移動するように構成されている、請求項４または５に記載のレンズ保持機構。
【請求項８】
前記レンズは前記保持部材の一方端部側に配置されるとともに、前記受光素子は前記保持部材の他方端部側に配置され、
温度変化により前記レンズの焦点距離が変化する際に、前記保持部材の一方端部側の先端部が前記フレーム部材の傾斜部に沿ってスライド移動することにより前記レンズが前記受光素子に対して移動して前記レンズと前記受光素子との間の距離が調整されるように構成されている、請求項２〜７のいずれか１項に記載のレンズ保持機構。
【請求項９】
前記受光素子は前記保持部材の一方端部側に配置されるとともに、前記レンズは前記保持部材の他方端部側に配置され、
温度変化により前記レンズの焦点距離が変化する際に、前記保持部材の一方端部側の先端部が前記フレーム部材の傾斜部に沿ってスライド移動することにより前記受光素子が前記レンズに対して移動して前記レンズと前記受光素子との間の距離が調整されるように構成されている、請求項２〜７のいずれか１項に記載のレンズ保持機構。
【請求項１０】
レンズと、
前記レンズを介して入射する光を受光する受光素子と、
一方端部側と他方端部側とが互いに対向するように撓み変形可能に構成され、前記一方端部側と前記他方端部側との一方および他方において、それぞれ、互いに対向するように前記レンズと前記受光素子とを保持する１つの保持部材と、
前記保持部材が撓み変形された付勢状態でスライド移動可能に当接される傾斜部を含むフレーム部材とを備え、
互いに対向する前記レンズと前記受光素子との距離は、前記レンズの焦点距離に対応する大きさになるように構成され、
温度変化による前記レンズの体積の変化に伴い前記レンズの焦点距離が変化した際に、前記保持部材の一方端部が、前記保持部材および前記フレーム部材の温度変化による体積の変化に伴い前記傾斜部に沿ってスライド移動することにより、前記レンズと前記受光素子との距離が前記レンズの体積の変化後の焦点距離に対応する大きさに調整されるように構成されている、カメラ。
【発明の詳細な説明】
【技術分野】
【０００１】
この発明は、レンズ保持機構およびカメラに関し、特に、レンズと受光素子との間の距離を調整する機能を有するレンズ保持機構およびそのようなレンズ保持機構を備えたカメラに関する。
【背景技術】
【０００２】
従来、レンズと受光素子との間の距離を調整する機能を有するレンズ保持機構が知られている。（たとえば、特許文献１〜３参照）。
【０００３】
上記特許文献１には、焦点距離を調整するためのバックフォーカス調整レンズと、バックフォーカス調整レンズを保持する移動枠と、バックフォーカス調整レンズおよび移動枠を保持するとともに駆動させるアクチュエータと、装置本体の内部温度を検知する温度センサと、撮像素子とを備えた撮像装置が開示されている。上記特許文献１に開示された撮像装置では、温度センサにより撮像装置の内部温度を検知するとともに、検知された内部温度に基づいてバックフォーカス調整レンズの温度変化による変動量を算出するように構成されている。そして、算出された変動量に基づいてアクチュエータを駆動させてバックフォーカス調整レンズの位置を調整するように構成されている。
【０００４】
また、上記特許文献２には、集光レンズと受光素子とを備えた光学ヘッドが開示されている。上記特許文献２に記載された光学ヘッドでは、集光レンズは集光レンズホルダーに保持されているとともに、受光素子は光学ベースに保持されている。そして、集光レンズホルダーと光学ベースとを互いに熱膨張係数の異なる材料により形成し、雰囲気温度の変化に伴って集光レンズと受光素子とが膨張した場合においても、集光レンズホルダーと光学ベースとの膨張量を略等しくすることによって集光レンズと受光素子との相対的な距離が変化することを抑制するように構成されている。
【０００５】
また、上記特許文献３には、円すい状の先端部を有するレンズホルダに保持されたレンズと、レンズホルダの円すい状の先端部の表面に面接触する円すい穴を有する駆動筒と、レンズと対向するように配置され、ケースに保持されるとともに受光素子としての機能を有する光検知器と、レンズホルダを駆動筒に付勢するためのスプリングとを備えた自動焦点補正機構が開示されている。上記特許文献３に開示された自動焦点補正機構では、レンズホルダは駆動筒の円すい穴の径が小さくなる方向にスライド移動可能なようにバネ部材によって付勢されている。そして、雰囲気温度の変化に伴ってレンズの体積が変化し、レンズの焦点距離が変化した場合に駆動筒も温度変化によって体積が変化し、レンズホルダの円すい状の先端部が円すい穴に沿って面接触しながらスライド移動することによって、レンズと光検知器との距離がレンズの温度変化後の焦点距離になるように構成されている。
【先行技術文献】
【特許文献】
【０００６】
【特許文献１】特開２００３−１３１１０３号公報
【特許文献２】特開平８−７３１３号公報
【特許文献３】実開平５−１１１１４号公報
【発明の概要】
【発明が解決しようとする課題】
【０００７】
しかしながら、上記特許文献１に記載の撮像装置では、バックフォーカス調整レンズと撮像素子との距離をバックフォーカス調整レンズの焦点距離に一致させる機能として、温度センサおよびアクチュエータを別途備えなければならないため、その分、部品点数が増加するという問題点がある。
【０００８】
また、上記特許文献２に記載の光学ヘッドでは、集光レンズを保持するための部材（集光レンズホルダー）と受光素子を保持するための部材（光学ベース）とが別個に設けられているので、その分、部品点数が増加するという問題点がある。
【０００９】
また、上記特許文献３に記載の自動焦点補正機構では、レンズを保持するための部材（レンズホルダ）と光検知器を保持するための部材（ケース）とが別個に設けられているとともに、さらにレンズホルダを駆動筒に付勢するためのスプリングが必要であるので、その分、部品点数が増加するという問題点がある。
【００１０】
この発明は、上記のような課題を解決するためになされたものであり、この発明の１つの目的は、部品点数の増加を抑制しながらレンズと受光素子との間の距離を調整することが可能なレンズ保持機構およびカメラを提供することである。
【課題を解決するための手段および発明の効果】
【００１１】
この発明の第１の局面によるレンズ保持機構は、一方端部側と他方端部側とが互いに対向するように撓み変形可能に構成され、一方端部側と他方端部側との一方および他方において、それぞれ、互いに対向するようにレンズとレンズを介して入射する光を受光する受光素子とを保持する１つの保持部材と、保持部材の一方端部が撓み変形された付勢状態でスライド移動可能に当接される傾斜部を含むフレーム部材とを備え、互いに対向するレンズと受光素子との距離は、レンズの焦点距離に対応する大きさになるように構成され、温度変化によるレンズの体積の変化に伴いレンズの焦点距離が変化した際に、保持部材の一方端部が、保持部材およびフレーム部材の温度変化による体積の変化に伴い傾斜部に沿ってスライド移動することにより、レンズと受光素子との距離がレンズの体積の変化後の焦点距離に対応するように調整されるように構成されている。
【００１２】
この第１の局面によるレンズ保持機構では、上記のように、レンズと受光素子との両方を１つの保持部材により保持するとともに、この１つの保持部材の一方端部を傾斜部に沿ってスライド移動させてレンズと受光素子との距離を調整するように構成することによって、レンズと受光素子とを１つの保持部材により保持しながらレンズと受光素子との距離を調整することができる。これにより、レンズと受光素子とをそれぞれ別の部材によって保持しながらレンズと受光素子との距離を調整する構成に比べて、部品点数が増加するのを抑制しながらレンズと受光素子との距離を調整することができる。また、受光素子およびレンズを保持する保持部材を撓み変形可能に構成するとともに、保持部材の一方端部が撓み変形された付勢状態でフレーム部材の傾斜部に当接するように構成することによって、レンズを保持する保持部材を付勢するために別途スプリング（バネ部材）を設ける必要がないので、これによっても、部品点数が増加するのを抑制することができる。
【００１３】
上記第１の局面におけるレンズ保持機構において、好ましくは、保持部材の一方端部の先端部は、フレーム部材の傾斜部に対して点接触可能な形状に形成され、先端部は、傾斜部に対して点接触を維持した状態でスライド移動可能なように構成されている。このように構成すれば、フレーム部材の傾斜部と保持部材の先端部との接触部分の面積が面接触または線接触する場合に比べてより小さくなるので、先端部をスムーズに移動させることができる。
【００１４】
この場合、好ましくは、保持部材の先端部は、平面的に見て、円形形状を有する。このように構成すれば、容易に傾斜部に対して点接触させることができるとともに、円形形状の先端部により、尖った形状の先端部の場合と異なり、傾斜部の表面をよりスムーズにスライド移動させることができる。
【００１５】
上記第１の局面におけるレンズ保持機構において、好ましくは、フレーム部材の傾斜部は、レンズおよび受光素子を通る光軸に沿った第１方向に対して傾斜するように構成され、保持部材の一方端部は、第１方向と直交する第２方向に延びるように構成され、傾斜部の第１方向に対する傾斜角は、温度変化による体積変化に伴うフレーム部材の長さの変化量およびレンズの焦点距離の変化量の第１方向の成分と、温度変化による体積変化に伴う保持部材およびフレーム部材の長さの変化量の第２方向の成分とに基づいて設定されている。このように構成すれば、レンズと受光素子との距離を温度変化後のレンズの焦点距離に一致させる分だけ、傾斜部に沿って保持部材の一方端部を容易にスライド移動させることができる。
【００１６】
この場合、好ましくは、傾斜部の第１方向に対する傾斜角は、温度変化による体積変化に伴うフレーム部材の長さの変化量およびレンズの焦点距離の変化量の第１方向の成分における差分と、保持部材およびフレーム部材の長さの変化量の第２方向の成分における差分との逆正接関数により算出されて設定されている。このように構成すれば、レンズと受光素子との距離を温度変化後のレンズの焦点距離に一致させる分だけ保持部材の先端部をスライド移動させることが可能な傾斜部の傾斜角を容易に算出して設定することができる。
【００１７】
上記傾斜部が第１方向に対して傾斜する構成において、好ましくは、フレーム部材は、保持部材よりも温度変化による体積の膨張量が大きくなるように構成され、傾斜部の第１方向に対する所定の回転方向の傾斜角は鋭角になるように構成され、傾斜部に沿ってスライド移動する保持部材の一方端部は、温度上昇に伴って、光軸に近づくように第２方向に移動するとともにレンズと受光素子との距離が大きくなるように第１方向に移動するように構成されている。このように構成すれば、温度上昇に伴って、レンズと受光素子との距離を大きくすることができるので、レンズと受光素子との距離を、レンズの体積の膨張により、焦点距離が大きくなった温度上昇後の焦点距離に合わせることができる。
【００１８】
上記傾斜部が第１方向に対して傾斜する構成において、好ましくは、保持部材は、フレーム部材よりも温度変化による体積の膨張量が大きくなるように構成され、傾斜部の第１方向に対する所定の回転方向の傾斜角は鈍角になるように構成され、傾斜部に沿ってスライド移動する保持部材の一方端部は、温度上昇に伴って、光軸から遠ざかるように第２方向に移動するとともにレンズと受光素子との距離が大きくなるように第１方向に移動するように構成されている。このように構成すれば、温度上昇に伴って、レンズと受光素子との距離を大きくすることができるので、レンズと受光素子との距離を、レンズの体積の膨張により、焦点距離が大きくなった温度上昇後の焦点距離に合わせることができる。
【００１９】
上記保持部材の先端部がフレーム部材の傾斜部に点接触する構成において、好ましくは、レンズは保持部材の一方端部側に配置されるとともに、受光素子は保持部材の他方端部側に配置され、温度変化によりレンズの焦点距離が変化する際に、保持部材の一方端部側の先端部がフレーム部材の傾斜部に沿ってスライド移動することによりレンズが受光素子に対して移動してレンズと受光素子との間の距離が調整されるように構成されている。このように構成すれば、フレーム部材の傾斜部に沿ってスライド移動する保持部材の一方端部側にレンズが配置されるので、レンズの受光素子に対する距離を容易に調整することができる。これにより、レンズと受光素子との距離の調整を保持部材およびフレーム部材により容易に行うことができる。
【００２０】
上記保持部材の先端部がフレーム部材の傾斜部に点接触する構成において、好ましくは、受光素子は保持部材の一方端部側に配置されるとともに、レンズは保持部材の他方端部側に配置され、温度変化によりレンズの焦点距離が変化する際に、保持部材の一方端部側の先端部がフレーム部材の傾斜部に沿ってスライド移動することにより受光素子がレンズに対して移動してレンズと受光素子との間の距離が調整されるように構成されている。このように構成すれば、フレーム部材の傾斜部に沿ってスライド移動する保持部材の一方端部側に受光素子が配置されるので、受光素子のレンズに対する距離を容易に調整することができる。これにより、レンズと受光素子との距離の調整を保持部材およびフレーム部材により容易に行うことができる。
【００２１】
この発明の第２の局面によるカメラは、レンズと、レンズを介して入射する光を受光する受光素子と、一方端部側と他方端部側とが互いに対向するように撓み変形可能に構成され、一方端部側と他方端部側との一方および他方において、それぞれ、互いに対向するようにレンズと受光素子とを保持する１つの保持部材と、保持部材が撓み変形された付勢状態でスライド移動可能に当接される傾斜部を含むフレーム部材とを備え、互いに対向するレンズと受光素子との距離は、レンズの焦点距離に対応する大きさになるように構成され、温度変化によるレンズの体積の変化に伴いレンズの焦点距離が変化した際に、保持部材の一方端部が、保持部材およびフレーム部材の温度変化による体積の変化に伴い傾斜部に沿ってスライド移動することにより、レンズと受光素子との距離がレンズの体積の変化後の焦点距離に対応する大きさに調整されるように構成されている。
【００２２】
この第２の局面によるカメラでは、上記のように、レンズと受光素子との両方を１つの保持部材により保持するとともに、この１つの保持部材の一方端部を傾斜部に沿ってスライド移動させてレンズと受光素子との距離を調整するように構成されたレンズ保持機構を備えることによって、レンズと受光素子とを１つの保持部材により保持しながらレンズと受光素子との距離を調整することができるので、レンズと受光素子とをそれぞれ別の部材によって保持しながらレンズと受光素子との距離を調整する構成に比べて、部品点数が増加するのを抑制しながらレンズと受光素子との距離を調整することが可能なカメラを得ることができる。また、レンズ保持機構は、受光素子およびレンズを保持する保持部材を撓み変形可能に構成するとともに、保持部材の一方端部が撓み変形された付勢状態でフレーム部材の傾斜部に当接するように構成することによって、レンズを保持する保持部材を付勢するために別途スプリング（バネ部材）を設ける必要がないので、これによっても、部品点数が増加するのを抑制することが可能なカメラを得ることができる。
【図面の簡単な説明】
【００２３】
【図１】本発明の第１実施形態によるレンズ保持機構を備えたカメラを示した斜視図である。
【図２】本発明の第１実施形態によるレンズ保持機構を備えたカメラを示した断面図である。
【図３】本発明の第１実施形態によるレンズ保持機構を示した斜視図である。
【図４】本発明の第１実施形態によるレンズ保持機構を示した断面図である。
【図５】図４の１００―１００線に沿った拡大平面図である。
【図６】本発明の第１実施形態によるレンズ保持機構におけるレンズと受光素子との間の距離の調整について説明するための断面図である。
【図７】本発明の第１実施形態によるレンズ保持機構におけるレンズと受光素子との間の距離の調整について説明するための図である。
【図８】本発明の第１実施形態によるレンズ保持機構におけるレンズと受光素子との間の距離の調整について説明するための図である。
【図９】本発明の第２実施形態によるレンズ保持機構を示した断面図である。
【図１０】本発明の第２実施形態によるレンズ保持機構について説明するための斜視図である。
【図１１】本発明の第２実施形態によるレンズ保持機構におけるレンズと受光素子との間の距離の調整について説明するための図である。
【図１２】本発明の第２実施形態によるレンズ保持機構におけるレンズと受光素子との間の距離の調整について説明するための図である。
【図１３】本発明の第２実施形態によるレンズ保持機構におけるレンズと受光素子との間の距離の調整について説明するための図である。
【図１４】本発明の第３実施形態によるレンズ保持機構について説明するための断面図である。
【図１５】本発明の第１〜第３実施形態の変形例について説明するための断面図である。
【発明を実施するための形態】
【００２４】
以下、本発明を具体化した実施形態を図面に基づいて説明する。
【００２５】
（第１実施形態）
まず、図１〜図５を参照して本発明の第１実施形態によるレンズ保持機構３を備えたカメラ１０の構造について説明する。
【００２６】
本発明の第１実施形態によるカメラ１０は、図１および図２に示すように、上面に開口部１ａを有する筐体１と、筐体１の開口部１ａを塞ぐように配置された蓋部２と、筐体１の内部に配置されたレンズ保持機構３とを備えている。蓋部２には貫通孔２ａが形成されているとともに、貫通孔２ａを覆う位置には外部レンズ４が設けられている。外部レンズ４は、貫通孔２ａを介してレンズ保持機構３に光を導く機能を有する。
【００２７】
レンズ保持機構３は、図３および図４に示すように、保持部材５と、保持部材５を内部に載置するとともに開口部６ａを有するフレーム部材６とを備えている。
【００２８】
保持部材５は、金属からなり、略長方形形状に形成され、一方端部側と他方端部側とがそれぞれＸ方向に延びるとともに互いに対向するように構成された略Ｕ字形状に湾曲している。保持部材５の矢印Ｚ１方向側の一方端部側には、４つの把持部５ａからなるレンズ保持部５ｂが設けられている。また、４つの把持部５ａにより抱え込まれるように、レンズ７がレンズ保持部５ｂに固定されている。また、レンズ保持部５ｂには、外部（Ｚ方向）から入射された光をレンズ７に導くための貫通孔５ｃが形成されている。なお、Ｘ方向およびＺ方向は、それぞれ、本発明の「第１方向」および「第２方向」の一例である。
【００２９】
保持部材５の矢印Ｚ２方向側の他方端部側には受光素子配置部５ｄが形成されており、レンズ７により導かれる光を受光するための受光素子８が配置されている。受光素子８は、レンズ７から入射する光の光軸５０が受光面の中心位置に対応するように、受光素子配置部５ｄ上に接着剤などにより固定されている。フレーム部材６の内底面上には、固定部９ａが設けられており、受光素子配置部５ｄの矢印Ｘ１側の端部を固定部９ａに係合させることにより、Ｘ１方向およびＺ１方向への受光素子配置部５ｄの移動が規制されるように構成されている。また、フレーム部材６の内底面上には、固定部９ｂが設けられているとともに、受光素子配置部５ｄの矢印Ｘ２側の端部には、位置決めのための矩形形状の切り欠き部５ｅ（図３参照）が形成されている。そして、受光素子配置部５ｄの矢印Ｘ２側の端部は、切り欠き部５ｅと固定部９ｂとがＹ方向側に係合された状態で矢印Ｚ２方向に圧着されている。以上により、保持部材５の受光素子配置部５ｄ側はフレーム部材６の内部に固定的に保持されている。
【００３０】
また、保持部材５における一方端部側のレンズ保持部５ｂと他方端部側の受光素子配置部５ｄとの間に位置する接続部５ｆは、一方端部側のレンズ保持部５ｂがＺ方向に撓み変形（弾性変形）可能に構成されている。すなわち、保持部材５は、撓み変形（弾性変形）可能なバネ性を有する金属により形成されている。なお、第１実施形態では、保持部材５におけるレンズ保持部５ｂ、受光素子配置部５ｄおよび接続部５ｆは、一体的に形成されている。そして、撓み変形（弾性変形）可能なバネ性を有する１つの保持部材５によりレンズ７および受光素子８が保持されている。
【００３１】
また、図２に示すように、レンズ保持機構３には、フレーム部材６（図３参照）の開口部６ａを塞ぐように蓋部３ａが設けられているとともに、蓋部３ａには外部レンズ４からの光をフレーム部材６内部に導くための貫通孔３ｂが形成されている。また、図４に示すように、フレーム部材６は樹脂により形成されているとともに、保持部材５の一方端部側の先端部５ｇとＸ方向において対向するフレーム部材６の位置には、傾斜部６ｂを有する突出部６ｃが形成されている。傾斜部６ｂは、光軸５０に対して反時計回りに鋭角となる傾斜角αだけ傾斜している。そして、フレーム部材６の傾斜部６ｂは、室温（約２５℃）でレンズ７と受光素子８との距離がレンズ７の焦点距離ｆと略同じ大きさになるように、保持部材５が矢印Ｚ２方向に撓み変形（弾性変形）した状態で付勢して当接するように構成されている。
【００３２】
ここで、第１実施形態では、図５に示すように、保持部材５の一方端部側の先端部５ｇは、平面的に見て、円形形状を有するとともに、フレーム部材６の傾斜部６ｂに対して点接触するように構成されている。また、保持部材５の先端部５ｇは、フレーム部材６の傾斜部６ｂに対して点接触を維持した状態で、フレーム部材６の傾斜部６ｂの表面上をスライド移動可能なように構成されている。
【００３３】
また、第１実施形態では、雰囲気温度の変化によるレンズ７の体積の変化に伴いレンズ７の焦点距離ｆが変化した際に、保持部材５およびフレーム部材６も温度変化によって体積が変化し、保持部材５の先端部５ｇがフレーム部材６の傾斜部６ｂに沿ってスライド移動することにより、レンズ７と受光素子８との距離がレンズ７の体積の変化後の焦点距離に対応する大きさに調整されるように、光軸５０に対する傾斜部６ｂの傾斜角αが調整されている。なお、第１実施形態では、保持部材５（金属）よりもフレーム部材６（樹脂）の方が熱膨張係数が大きい。また、傾斜角αの具体的な導出方法については後述する。
【００３４】
次に、図６〜図８を参照して、第１実施形態によるレンズ保持機構３におけるレンズ７と受光素子８との間の距離を調整する際の動作および傾斜角αの導出方法について説明する。
【００３５】
雰囲気温度が上昇した場合、図６に示すように、保持部材５、フレーム部材６およびレンズ７は、それぞれ体積が膨張する。そして、体積の膨張および温度上昇による屈折率の低下などにより、レンズ７の焦点距離はＺ方向にｆからΔｆだけ大きくなる。
【００３６】
具体的には、雰囲気温度の変化前の状態では、図７に示すように、保持部材５の先端部５ｇとフレーム部材６の傾斜部６ｂとは、点Ａ１において点接触した状態で保持されている。この状態から雰囲気温度が上昇した場合、図８に示すように、保持部材５は＋Ｘ方向（図６のＸ１方向）にΔＨｅｘだけ延びるとともに、フレーム部材６は＋Ｘ方向にΔＦｅｘだけ延びる。つまり、傾斜部６ｂは、＋Ｘ方向にΔＦｅｘだけ移動する。このとき、金属からなる保持部材５よりも樹脂からなるフレーム部材６の方が熱膨張係数が大きいことにより、ΔＦｅｘ＞ΔＨｅｘが成り立つ。また、フレーム部材６は＋Ｚ方向（図６のＺ１方向）にΔＦｅｚだけ延びる。つまり、傾斜部６ｂは、＋Ｚ方向にΔＦｅｚだけ移動する。なお、金属からなる保持部材５においては、Ｚ方向の膨張量は非常に小さいために考慮しない。
【００３７】
これにより、先端部５ｇと傾斜部６ｂとの間には、＋Ｘ方向にΔＦｅｘ−ΔＨｅｘの大きさのすき間が生じるとともに、＋Ｚ方向にΔＦｅｚの大きさのすき間が生じる。これにより、保持部材５の撓み変形による上方向の付勢力Ｆにより、保持部材５の先端部５ｇとフレーム部材６の傾斜部６ｂとは、点Ｂ１から傾斜部６ｂの表面に沿って光軸５０に近づくように互いに接触しながらスライド移動（摺動）することにより点Ｃ１にまで移動（矢印Ｘ２方向および矢印Ｚ１方向に移動）する。このとき、保持部材５が矢印Ｚ１方向に焦点距離の変化分Δｆだけスライド移動するように予め傾斜部６ｂの光軸５０に対する傾斜角αを設定することにより、レンズ７と受光素子８との距離が温度変化後（温度上昇後）のレンズ７の焦点距離（ｆ＋Δｆ）と一致することになる。
【００３８】
ここで、具体的な傾斜角αの算出方法について説明する。第１実施形態では、光軸５０に対する傾斜角αの正接（ｔａｎα）は、保持部材５の＋Ｘ方向成分の膨張量（ΔＨｅｘ）、フレーム部材６の＋Ｘ方向成分の膨張量（ΔＦｅｘ）、フレーム部材６の＋Ｚ方向成分の膨張量（ΔＦｅｚ）、および、レンズ７の焦点距離の変化量Δｆに基づいて、以下の式（１）として表される。
【００３９】
ｔａｎα＝（ΔＦｅｘ−ΔＨｅｘ）／（Δｆ−ΔＦｅｚ）・・・（１）
したがって、傾斜角αは、上記式（１）の逆正接関数により以下の式（２）として算出される。
【００４０】
α＝ａｒｃｔａｎ{（ΔＦｅｘ−ΔＨｅｘ）／（Δｆ−ΔＦｅｚ）}・・・（２）
以上により、算出した傾斜角αに設定して傾斜角を形成することにより、雰囲気温度の変化に伴ってレンズ７の焦点距離が変化した場合において、保持部材５の先端部５ｇがスライド移動することによって、レンズ７と受光素子８との間の距離が、雰囲気温度の変化後の焦点距離ｆ＋Δｆに一致するように構成することが可能となる。
【００４１】
次に、上記に示した算出方法を用いて傾斜部６ｂの傾斜角αを具体的に算出する例について説明する。
【００４２】
まず、レンズ７の材料として、たとえば、プラスチックレンズとして利用されるＺＥＯＮＥＸ４８０Ｒ（日本ゼオン社製）（熱膨張係数７×１０−５／℃）を用いるとともに、保持部材５として、たとえば、撓み変形（弾性変形）可能なバネ性を有する金属としてＳＵＳ３０４ＣＳＰ（熱膨張係数１．７２×１０−５／℃）を用いる。また、フレーム部材６として、たとえば、ＡＢＳ樹脂（熱膨張係数９×１０−５／℃）を用いる。
【００４３】
保持部材５においては、固定部９ｂから先端部５ｇの傾斜部６ｂに対する接触点（点Ａ１）までのＸ方向の距離を１０ｍｍとするとともに、固定部９ｂからレンズ７の光軸５０までのＸ方向の距離を８ｍｍとする。また、フレーム部材６においては、固定部９ｂから傾斜部６ｂの先端部５ｇに対する接触点（点Ａ１）までのＸ方向の距離を１０ｍｍとするとともに、Ｚ方向の距離を１ｍｍとする。なお、レンズ７の形状については、曲率半径が２．５ｍｍの凸形状の一方面と、曲率半径が−１ｍｍの凸形状の他方面とを有するとともに、２ｍｍの厚みを有しているとする。また、レンズ７の焦点距離ｆは、１．５０８２とする。
【００４４】
以下、雰囲気温度が２５℃から８０℃にまで上昇した場合について説明する。
【００４５】
ここで、保持部材５において、固定部９ｂから接触部５ｇにおける傾斜部６ｂとの接触点までのＸ方向の長さの増加量ΔＨｅｘは、下式により算出される。
【００４６】
ΔＨｅｘ＝１．７２×１０−５×１０×（８０−２５）＝９．４６μｍ
なお、固定部９ｂからからレンズ７の光軸５０までのＸ方向の長さの増加量ΔＨｌｘは、下式により算出される。
【００４７】
ΔＨｌｘ＝１．７２×１０−５×８×（８０−２５）＝７．５６８μｍ
また、フレーム部材６において、固定部９ｂから傾斜部６ｂの先端部５ｇに対する接触点までのＸ方向の長さの増加量ΔＦｅｘ、および、Ｚ方向の長さの増加量ΔＦｅｚは、それぞれ、下式により算出される。
【００４８】
ΔＦｅｘ＝９×１０−５×１０×（８０−２５）＝４９．５μｍ
ΔＦｅｚ＝９×１０−５×１×（８０−２５）＝４．９５μｍ
このとき、レンズ７の屈折率も温度上昇とともに変化する。具体的には、２５℃のときの屈折率は１．５２５１であるとともに、８０℃のときの屈折率は１．５１８９である。また、レンズ７の焦点位置の変化は、レンズ７の膨張量と焦点距離の増加量との和により表される。具体的には、光線追跡プログラムにより算出した結果、レンズ７の膨張量は６．６μｍであるとともに、焦点距離の増加量は、０．１７５μｍとなる。したがって、焦点位置の増加量Δｆは下式により算出される。
【００４９】
Δｆ＝６．６＋０．１７５＝６．７７５μｍ
すなわち、温度上昇の際に、レンズ７と受光素子８との間の距離を、６．７７５μｍだけ大きくすればよい。したがって、三角比を用いることにより、接触部５ｇは傾斜部６ｂの表面に沿って矢印Ｚ１方向に８．４６８７５μｍ移動させればよい。
【００５０】
以上により、第１実施形態における傾斜角αは、式（１）を用いて以下のように算出される。
【００５１】
α＝ａｒｃｔａｎ{（４９．５−９．４６）／（８．４６８７５−４．９５）}＝８４．９７
すなわち、上記の結果より、傾斜部６ｂの光軸５０に対する傾斜角αを８４．９７度に設定することにより、温度上昇時に伴いレンズ７の焦点距離が変化した場合、焦点距離の変化分だけレンズ７と受光素子８との距離が調整される。
【００５２】
また、第１実施形態においては、保持部材５の一方端部側は、Ｘ方向に対して所定の角度η（図８参照）分だけ傾きながら、傾斜部６ｂに沿ってスライド移動する。このとき、レンズ７もＸ方向に対して角度ηだけ傾くことになる。このとき、固定部９ｂから先端部５ｇの傾斜部６ｂに対する接触点（点Ａ１）までのＸ方向の距離が１０ｍｍであるとともに、Ｚ方向の移動量が８．４６８７５μｍであることから、常温（２５℃）時の光軸５０に対する温度上昇時の光軸５０の傾き角ηは、三角関数を用いることにより、０．０４度となる。これは、非常に小さい値であることから、ばらつきの範囲内であると考えられる。
【００５３】
第１実施形態では、上記のように、レンズ７と受光素子８との両方を１つの保持部材５により保持するとともに、この１つの保持部材５の一方端部側の先端部５ｇを傾斜部６ｂに沿ってスライド移動させてレンズ７と受光素子８との距離を調整するように構成することによって、レンズ７と受光素子８とを１つの保持部材５により保持しながらレンズ７と受光素子８との距離を調整することができる。これにより、レンズ７と受光素子８とをそれぞれ別の部材によって保持しながらレンズと受光素子との距離を調整する構成に比べて、部品点数が増加するのを抑制しながらレンズ７と受光素子８との距離を調整することができる。また、レンズ７および受光素子８を保持する保持部材５を撓み変形（弾性変形）可能に構成するとともに、保持部材５の先端部５ｇが撓み変形された付勢状態でフレーム部材６の傾斜部６ｂに当接するように構成することによって、レンズ７を保持する保持部材５を付勢するために別途スプリング（バネ部材）を設ける必要がないので、これによっても、部品点数が増加するのを抑制することができる。
【００５４】
また、第１実施形態では、上記のように、保持部材５の先端部５ｇを、フレーム部材６の傾斜部６ｂに対して点接触するとともに、点接触を維持した状態でスライド移動可能なように構成することによって、フレーム部材６の傾斜部６ｂと保持部材５の先端部５ｇとの接触部分の面積が面接触または線接触する場合に比べてより小さくなるので、先端部５ｇをスムーズに移動させることができる。
【００５５】
また、第１実施形態では、上記のように、保持部材５の先端部５ｇを、平面的に見て、円形形状を有するように構成することによって、容易に傾斜部６ｂに対して点接触させることができるとともに、円形形状の先端部５ｇにより、尖った形状の先端部の場合と異なり、傾斜部６ｂの表面をよりスムーズにスライド移動させることができる。
【００５６】
また、第１実施形態では、上記のように、傾斜部６ｂの光軸５０に対する傾斜角αを、温度変化による体積変化に伴うフレーム部材６のＺ方向の長さの変化量ΔＦｅｚおよびレンズ７の焦点距離の変化量Δｆと、温度変化による体積変化に伴う保持部材５の長さの変化量ΔＨｅｘおよびフレーム部材６の長さの変化量ΔＦｅｘとに基づいて設定するように構成することによって、レンズ７と受光素子８との距離を温度変化後のレンズ７の焦点距離ｆ＋Δｆに一致させる分だけ、傾斜部６ｂに沿って保持部材５の先端部５ｇを容易にスライド移動させることができる。
【００５７】
また、第１実施形態では、上記のように、傾斜部の光軸５０に対する傾斜角αを、フレーム部材６のＺ方向の長さの変化量ΔＦｅｚおよびレンズ７の焦点距離の変化量Δｆにおける差分と、保持部材５の長さの変化量ΔＨｅｘおよびフレーム部材６の長さの変化量ΔＦｅｘにおける差分との逆正接関数により算出されて設定されるように構成することによって、レンズ７と受光素子８との距離を温度上昇後のレンズ７の焦点距離ｆ＋Δｆに一致させる分だけ保持部材５の先端部５ｇをスライド移動させることが可能な傾斜部６ｂの傾斜角αを容易に算出して設定することができる。
【００５８】
また、第１実施形態では、上記のように、フレーム部材６の方が保持部材５よりも熱膨張係数が大きい場合には傾斜部６ｂの傾斜角αを鋭角になるように構成するとともに、傾斜部６ｂに沿ってスライド移動する保持部材５の先端部５ｇを、温度上昇に伴って、光軸５０に近づくように矢印Ｘ２方向および矢印Ｚ１方向に移動するように構成することによって、レンズ７と受光素子８との距離を大きくすることができるので、レンズ７と受光素子８との距離を、レンズ７の体積の膨張により、焦点距離が大きくなった温度上昇後の焦点距離ｆ＋Δｆに合わせることができる。
【００５９】
また、第１実施形態では、上記のように、温度変化によりレンズの焦点距離が変化する際に、保持部材５の一方端部の先端部５ｇがフレーム部材６の傾斜部６ｂに沿ってスライド移動することにより、レンズ７が受光素子８に対して移動してレンズ７と受光素子８との間の距離が調整されるように構成することによって、フレーム部材６の傾斜部６ｂに沿ってスライド移動する保持部材５の一方端部側にレンズ７が配置されるので、レンズ７の受光素子８に対する距離を容易に調整することができる。これにより、レンズ７と受光素子８との距離の調整を保持部材５およびフレーム部材６により容易に行うことができる。
【００６０】
（第２実施形態）
図９〜図１３を参照して、第２実施形態では、金属からなる保持部材５と樹脂からなるフレーム部材６とを含むレンズ保持機構３を備えた第１実施形態とは異なり、樹脂からなる保持部材１５と金属からなるフレーム部材１６とを含むレンズ保持機構１３について説明する。
【００６１】
第２実施形態では、フレーム部材１６は金属からなるとともに、保持部材１５はフレーム部材１６よりも熱膨張係数の大きい樹脂からなるように構成されている。また、図９に示すように、保持部材１５の先端部１５ｇは、Ｘ方向に延びるレンズ保持部１５ｂの端部分から矢印Ｚ１方向に延びるように構成されている。また、フレーム部材１６の突出部１６ｃは、矢印Ｚ２方向に延びるように構成されているとともに、保持部材１５の先端部１５ｇに対向する傾斜部１６ｂを有する。また、傾斜部１６ｂは、光軸５０に対して反時計回りに鈍角となる傾斜角βだけ傾斜するように構成されている。
【００６２】
ここで、第２実施形態では、図１０に示すように、保持部材１５の先端部１５ｇはフレーム部材１６の傾斜部１６ｂに対してスライド移動可能なように点接触するように構成されている。また、保持部材１５の先端部１５ｇは、矢印Ｚ２方向に撓み変形されることにより、上記第１実施形態と同様に、フレーム部材１６の傾斜部１６ｂに対して上方向に付勢した状態でスライド移動可能に当接するように構成されている。
【００６３】
第２実施形態のその他の構成は第１実施形態と同様である。
【００６４】
次に、第２実施形態によるレンズ保持機構１３におけるレンズ７と受光素子８との間の距離を調整する際の動作および傾斜角βの導出方法について説明する。
【００６５】
雰囲気温度が上昇した場合、図１１に示すように、保持部材１５、フレーム部材１６およびレンズ７は、雰囲気温度の上昇に伴ってそれぞれ体積が膨張するとともに、レンズ７の焦点距離はＺ方向にｆからΔｆだけ大きくなる。
【００６６】
このとき、雰囲気温度の上昇前の状態では、図１２に示すように、保持部材１５の先端部１５ｇとフレーム部材１６の傾斜部１６ｂとは、点Ａ２において点接触している。この状態から雰囲気温度が上昇した場合、図１３に示すように、保持部材１５は、＋Ｘ方向にΔＨｅｘだけ延びるとともに、フレーム部材１６は＋Ｘ方向にΔＦｅｘだけ延びる。このとき、金属からなるフレーム部材１６よりも樹脂からなる保持部材１５の方が熱膨張係数が大きいことにより、ΔＦｅｘ＜ΔＨｅｘが成り立つ。また、保持部材１５は、＋Ｚ方向にΔＨｅｚだけ延びる。
【００６７】
これにより、先端部１５ｇと傾斜部１６ｂとの間には、＋Ｘ方向にΔＨｅｘ−ΔＦｅｘのすき間が生じるとともに、＋Ｚ方向にΔＨｅｚの大きさのすき間が生じる。これにより、保持部材１５の撓み変形による上方向の付勢力Ｆにより、保持部材１５の先端部１５ｇとフレーム部材１６の傾斜部１６ｂとは、点Ｂ２から傾斜部１６ｂの表面に沿って光軸５０から離れるように互いに接触しながらスライド移動（摺動）することにより点Ｃ２にまで移動（矢印Ｘ１方向および矢印Ｚ１方向に移動）する。このとき、保持部材５がＺ１方向に焦点距離の変化分Δｆだけスライド移動するように予め傾斜部１６ｂの光軸５０に対する傾斜角βを設定することにより、レンズ７と受光素子８との距離が温度変化後（温度上昇後）のレンズ７の焦点距離（ｆ＋Δｆ）と一致することになる。
【００６８】
ここで、具体的な傾斜角βの算出方法について説明する。第２実施形態では、光軸５０に対する傾斜角βの正接（ｔａｎβ）は、保持部材１５の＋Ｘ方向成分の膨張量（ΔＨｅｘ）、フレーム部材１６の＋Ｘ方向成分の膨張量（ΔＦｅｘ）、保持部材１５の＋Ｚ方向成分の膨張量（ΔＨｅｚ）、および、レンズ７の焦点距離の変化量Δｆに基づいて、以下の式（３）として表される。
【００６９】
ｔａｎβ＝（ΔＨｅｘ−ΔＦｅｘ）／（Δｆ−ΔＨｅｚ）・・・（３）
したがって、傾斜角βは、上記式（３）の逆正接関数により以下の式（４）として算出される。
【００７０】
β＝ａｒｃｔａｎ{（ΔＨｅｘ−ΔＦｅｘ）／（Δｆ−ΔＨｅｚ）}・・・（４）
以上により、第２実施形態においても、算出した傾斜角βに設定して傾斜角を形成することにより、雰囲気温度の変化に伴ってレンズ７の焦点距離が変化した場合、保持部材１５の先端部１５ｇがスライド移動することによって、レンズ７と受光素子８との間の距離が、雰囲気温度の変化後の焦点距離ｆ＋Δｆに一致するように構成することが可能となる。
【００７１】
なお、第２実施形態のその他の動作は第１実施形態と同様である。
【００７２】
第２実施形態では、上記のように、フレーム部材１６を金属により形成するとともに保持部材１５をフレーム部材１６よりも熱膨張係数の大きい樹脂により形成した場合においても、雰囲気温度が変化した際に、レンズ７と受光素子８との距離をレンズ７の温度変化後（温度上昇後）の焦点距離ｆ＋Δｆに一致するように調整することができる。
【００７３】
なお、第２実施形態のその他の効果は、第１実施形態と同様である。
【００７４】
（第３実施形態）
図１４を参照して、第３実施形態では、保持部材５（１５）の矢印Ｚ２方向側の他方端部側を固定するとともに矢印Ｚ１方向側の一方端部側を撓み変形可能なように構成した第１および第２実施形態とは異なり、保持部材２５のＺ１方向側の一方端部側を固定するとともに矢印Ｚ２方向側の他方端部側を撓み変形可能なように構成した例について説明する。
【００７５】
第３実施形態によるレンズ保持機構２３では、図１４に示すように、保持部材２５は、レンズ保持部２５ｂが形成された一方端部側が固定部２９ａおよび２９ｂにそれぞれ係合および圧着されることより、フレーム部材２６の開口部２６ａが形成された側の面に固定されている。
【００７６】
保持部材２５の他方端部側の受光素子配置部２５ｄは矢印Ｘ２方向に延びるとともに、他方端部側の先端部２５ｇは、円形形状に形成されている。また、フレーム部材２６の内底面には、保持部材２５の先端部２５ｇにＸ方向に対向する傾斜部２６ｂが形成されている。そして、保持部材２５の先端部２５ｇは、矢印Ｚ１方向に撓み変形されることにより、フレーム部材２６の傾斜部２６ｂに対して下方向に付勢した状態でスライド移動可能に当接するように構成されている。
【００７７】
フレーム部材２６の傾斜部２６ｂは、光軸５０に対して反時計回りに鋭角となる傾斜角γだけ傾斜するように構成されている。また、この傾斜角γは、雰囲気温度の変化に伴いレンズ７の焦点距離が変化した際に、レンズ７と受光素子８との距離が温度変化後のレンズ７の焦点距離に一致するように、保持部材２５の先端部２５ｇが傾斜部２６ｂに沿って光軸５０に近づく方向にスライド移動する大きさに構成されている。
【００７８】
なお、第３実施形態のその他の構成は、第１実施形態と同様である。
【００７９】
第３実施形態では、上記のように、保持部材２５の一方端部側（レンズ７が配置された側）をフレーム部材２６に固定的に保持するとともに、他方端部側（受光素子８が配置された側）を撓み変形可能なように構成した場合においても、保持部材２５の他方端部側がフレーム部材２６の傾斜部２６ｂに対してスライド移動することによって、雰囲気温度の変化に伴いレンズ７の焦点距離が変化した場合に、レンズ７と受光素子８との間の距離を温度変化後（温度上昇後）の焦点距離に一致するように調整することができる。
【００８０】
なお、第３実施形態のその他の効果は、第１実施形態と同様である。
【００８１】
今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８２】
たとえば、第１実施形態において、フレーム部材６の突出部６ｃの端部に傾斜部６ｂを設ける例を示したが本発明はこれに限らない。すなわち、図１５に示す変形例のように、フレーム部材３６の側壁を光軸５０に対して傾斜角αだけ傾斜させるとともに、保持部材５の先端部５ｇをフレーム部材３６の側壁の傾斜部３６ｂに付勢状態で当接させてもよい。このように構成することによっても、雰囲気温度変化に伴いレンズ７の焦点距離が変化した際に、保持部材５の先端部５ｇがフレーム部材３６の側壁をスライド移動することによって、レンズ７と受光素子８との距離が温度変化後のレンズ７の焦点距離に一致するように調整することができる。
【００８３】
また、第１〜第３実施形態では、固定部によって保持部材をフレーム部材に圧着する例を示したが、本発明はこれに限らず、たとえばネジ部材により保持部材をフレーム部材に締結してもよい。
【００８４】
また、第１〜第３実施形態では、レンズ保持部によってレンズを把持する例を示したが、本発明はこれに限らず、接着剤などによってレンズを保持部材に接着してもよい。
【００８５】
また、第１〜第３実施形態では、接着剤によって受光素子を受光素子配置部に接着する例を示したが、本発明はこれに限らず、半田など接着剤以外の材料によって受光素子を受光素子部に固定してもよい。
【００８６】
また、第１〜第３実施形態では、保持部材に２つの切り欠き部を設ける例を示したが、本発明はこれに限らず、切り欠き部を１つまたは３つ以上形成してもよい。また、切り欠き部は半円形状または三角形状など、矩形形状以外の形状であってもよい。
【符号の説明】
【００８７】
５、１５、２５                保持部材
５ｇ、１５ｇ、２５ｇ          先端部
６、１６、２６                フレーム部材
６ｂ、１６ｂ、２６ｂ、３６ｂ  傾斜部
７                            レンズ
８                            受光素子
１０                          カメラ
【図１】
2010181580.tif 000003
【図２】
2010181580.tif 000004
【図３】
2010181580.tif 000005
【図４】
2010181580.tif 000006
【図５】
2010181580.tif 000007
【図６】
2010181580.tif 000008
【図７】
2010181580.tif 000009
【図８】
2010181580.tif 000010
【図９】
2010181580.tif 000011
【図１０】
2010181580.tif 000012
【図１１】
2010181580.tif 000013
【図１２】
2010181580.tif 000014
【図１３】
2010181580.tif 000015
【図１４】
2010181580.tif 000016
【図１５】
2010181580.tif 000017